(57)【要約】  上面開放容器(10)と、別体の上面閉塞材(20)とを具備してなるタイプのカートン。上面閉塞材(20)は、それぞれが容器内で保持されたボトルのネックを受ける複数の開口部(56)を有している。各開口部(56)は、ボトルの取り出しを容易にするために、少なくとも一つの他の開口部(56)に至る破断可能な接合部(37)を有し、ボトルの取り出しによって、この破断可能な接合部が破断するようになっている。破断可能な接合部(37)は、ボトルの取り出し時に、カートンが構造的に損傷していない状態が実質的に保たれるように配されている。
2007532422.tif 000002
【特許請求の範囲】
【請求項１】
上面開放容器と、別個の上面閉塞材とを具備してなるタイプのカートンにおいて、
前記上面閉塞材は、それぞれが前記容器内に保持された物品の一部を受ける複数の開口部を備えた物品保持構造体を具備してなり、
各開口部は、前記物品の取り出しを容易にする、少なくとも一つの別の開口部に至る破断可能な接合部を有し、これによって使用時には、物品の取り出しによって前記破断可能な接合部が破断するようになっており、
前記破断可能な接合部は、この破断可能な接合部が破断したとき、カートンが構造的に損傷していない状態が実質的に維持されるように配されていることを特徴とするカートン。
【請求項２】
請求項１に記載の上面閉塞材であって、複数の開口部が列をなして配置されており、ある列の各開口部は、同一およびまたは異なる列の少なくとも一つの別の開口部に至る破断可能な接合部を有していることを特徴とする上面閉塞材。
【請求項３】
ある列の端部における各開口部は、さらなる破断可能な接合部によって、上面閉塞材の縁部につながっていることを特徴とする請求項２に記載の上面閉塞材。
【請求項４】
二つの開口部間の破断可能な接合部は、二つの他の開口部間の破断可能な接合部と交差していることを特徴とする請求項１に記載の上面閉塞材。
【請求項５】
前記破断可能な接合部は、この破断可能な接合部を破断するとき、上面閉塞材からその構成材が除去されないような形態であることを特徴とする請求項１ないし請求項４のいずれか１項に記載の上面閉塞材。
【請求項６】
複数の開口部が三つの列に配され、中央の列は他の列からオフセットしており、かつ前記中央の列の開口部は、他の二つの列のそれぞれの少なくとも二つの他の開口部に至る破断可能な接合部を有することを特徴とする請求項１に記載の上面閉塞材。
【請求項７】
上面開放容器と、別体の上面閉塞材とを具備してなるタイプのカートンであって、
前記上面閉塞材は、それぞれが前記容器内に保持された物品の一部を受ける複数の開口部を有し、
各開口部は、前記物品の取り出しを容易にする、少なくとも一つの別の開口部に至る破断可能な接合部を有し、これによって使用時には、物品の取り出しによって破断可能な接合部が破断するようになっており、
前記破断可能な接合部は、前記物品の取り出し時に、カートンが構造的に損傷していない状態が実質的に維持されるように配されており、
カートンは少なくとも一つの補強されたハンドル構造体をさらに具備してなり、
前記あるいは各補強されたハンドル構造体は多層構造のものであり、
前記あるいは各ハンドル構造体の少なくとも一つの層は前記上面開放容器によって提供され、かつ少なくとも一つのさらなる層が前記上面閉塞材によって提供されることを特徴とするカートン。
【請求項８】
上面開放容器は側壁を具備してなり、この上面開放容器によって提供される前記層は、前記側壁の一つから得られたものであることを特徴とする請求項７に記載のカートン。
【請求項９】
前記あるいは各補強されたハンドル構造体の層が、前記上面閉塞材に折り曲げ可能に連結されたハンドルパネルによって提供されることを特徴とする請求項７または請求項８に記載のカートン。
【請求項１０】
前記上面閉塞材に対して折り曲げ可能に連結された前記ハンドルパネルは、前記側壁の一つから得られた前記層の内面にぴったりと面接触した状態で固定されていることを特徴とする請求項９に記載のカートン。
【請求項１１】
補強されたハンドル構造体のさらなる層は、前記上面閉塞材によって提供され、かつハンドルパネルに対して折り曲げ可能に連結されていることを特徴とする請求項７ないし請求項１０のいずれか１項に記載のカートン。
【請求項１２】
上面開放容器と、別個の上面閉塞材とを具備してなるタイプのカートンを形成するための二部分ブランクであって、
このブランクの第１の部分は前記上面開放容器を形成するよう組み立てられ、かつブランクの第２の部分は、それぞれが前記容器内に保持された物品の一部を受ける複数の開口部を有する上面閉塞材を形成するよう組み立てられ、
各開口部は、前記物品の取り出しを容易にする、少なくとも一つの別の開口部に至る破断可能な接合部を有し、これにより前記物品の取り出しによって前記破断可能な接合部が破断するようになっており、
前記破断可能な接合部は、この破断可能な接合部が破断したとき、組み上がったカートンが構造的に損傷していない状態が実質的に維持されるように配されていることを特徴とする二部分ブランク。
【請求項１３】
上面開放容器と、別体の上面閉塞材とを具備してなるタイプのカートンを形成するための二部分ブランクであって、
第１のブランクは前記上面開放容器を形成するよう組み立てられ、かつ第２のブランクは上面閉塞材を形成するよう組み立てられ、前記上面閉塞材は、それぞれが前記容器内に保持された物品の一部を受ける複数の開口部を有し、
各開口部は、前記物品の取り出しを容易にする、少なくとも一つの別の開口部に至る破断可能な接合部を有し、これにより物品の取り出しによって破断可能な接合部が破断するようになっており、
前記破断可能な接合部は、物品の取り出し時に、前記カートンが構造的に損傷していない状態が実質的に維持されるように配されており、
前記組み上がったカートンは、少なくとも一つの補強されたハンドル構造体をさらに具備してなり、
前記あるいは各補強されたハンドル構造体は多層構造のものであり、
前記あるいは各ハンドル構造体の少なくとも一つの層は前記上面開放容器によって提供され、かつ少なくとも一つのさらなる層は前記上面閉塞材によって提供されることを特徴とする二部分ブランク。
【請求項１４】
前記第１のブランクは側壁を具備してなり、前記または各補強されたハンドル構造体の少なくとも一つの層は前記側壁の一方から得られることを特徴とする請求項１４に記載の二部分ブランク。
【請求項１５】
前記第２のブランクは、前記上面閉塞材によって提供される前記層を、組み上がったカートンにおいて形成するための少なくとも一つのハンドルパネルを具備してなることを特徴とする請求項１４または請求項１５に記載の二部分ブランク。
【請求項１６】
請求項７ないし請求項１１のいずれか１項に記載のカートンを形成するための二部分ブランク。
【発明の詳細な説明】
【技術分野】
【０００１】
本発明は、たとえばボトルのような、複数の同種の物品を収容するためのカートン、ならびにカートン内でボトルを保持するための手段、そして特に物品を取り出すための手段に関する。
【背景技術】
【０００２】
多数の物品を包装するためのカートンは、消費者が、ソフトドリンクまたはその他の飲料のような別個の物品を所望の数量だけ購入し、そして運搬することを可能にするために有用である。そうしたカートンは、とりわけ物品がボトルである場合には、複数の物品を支持するのに十分なだけ強いものである必要がある。また、そうしたカートンは、取り扱いが容易であって、しかも持ち運び可能であることが望ましい。
【０００３】
しばしば、カートン内に収容された物品をディスプレイすることが、そしてまた、カートンが広告図柄を印刷できる広い領域を持つことが望まれる。また、しばしば、物品を容易に手に取ることが可能であることが望まれ、そしてさらには、とりわけ物品が壊れやすいもの、たとえばガラス製のボトルである場合には、カートン内の適所で物品を固定することが好ましい。だが、たとえば購入前に、過度に容易に物品を手に取ることができるのは望ましくない。
【０００４】
また、物品の内容物を消費してしまった後、空になった物品をリサイクル所へ返却するのに使用できるカートンを提供することが好ましい。
【発明の開示】
【発明が解決しようとする課題】
【０００５】
本発明の目的は、物品を取り出すためのアクセス手段と協働で、物品をあるいは物品の一部をディスプレイするための手段を提供することであって、ここでアクセス手段は、カートンを、リサイクル所への返却のために物品を再配置するのに十分なほど完全な状態のままにしておけるようなものである。
【課題を解決するための手段】
【０００６】
本発明の第１の態様によれば、上面開放容器と、別体の上面閉塞材とを具備してなるタイプのカートンにおいて、上面閉塞材は、それぞれが容器内に保持された物品の一部を受ける複数の開口部を具備してなり、各開口部は、物品の取り出しを容易にする、少なくとも一つの別の開口部に至る破断可能な接合部を有し、これによって使用時には、物品の取り出しによって破断可能な接合部が破断するようになっており、物品を取り出したとき、カートンが構造的に損傷していない状態が実質的に維持されるよう構成される。
【０００７】
好ましくは複数の開口部は列をなして配され、ある列内の各開口部は、同一およびまたは異なる列の少なくとも一つの他の開口部に至る破断可能な接合部を有する。好ましくは、ある列の端部における各開口部は、さらなる破断可能な接合部によって上面閉塞材の縁部とつながっていてもよい。
【０００８】
さらに言えば、二つの開口部同士の間の破断可能な接合部は、他の二つの開口部同士の間の破断可能な接合部と交差していてもよい。
【０００９】
好ましくは、上記構成は、物品の取り出し時に構成材が上面閉塞材から除去されないようなものである。複数の開口部を三つの列に配置してもよく、中央の列はその他の列からオフセットされ、しかも中央列の開口部は、他の二つの列のそれぞれの少なくとも二つの他の開口部に至る破断可能な接合部を有する。
【００１０】
本発明の第２の態様によれば、上面開放容器と、別体の上面閉塞材とを具備してなるタイプのカートンにおいて、上面閉塞材は、それぞれが容器内に保持された物品の一部を受ける複数の開口部を有し、各開口部は物品の取り出しを容易にするよう少なくとも一つの他の開口部に至る破断可能な接合部を有し、これによって使用時には物品の取り出しによって破断可能な接合部が破断されるようになっており、物品を取り出したときカートンが構造的に損傷していない状態が実質的に維持されるよう構成され、本カートンはさらに少なくとも一つの補強されたハンドル構造体を具備してなり、当該あるいは各補強されたハンドル構造体は多層構造のものであって、少なくとも一つの層が上面開放容器によって提供され、かつ少なくとも一つのさらなる層が上面閉塞材によって提供されるよう構成される。
【００１１】
好ましくは、上面開放容器は側壁を具備してなり、上面開放容器によってもたらされる層は、この側壁の一つから得られたものである。補強されたハンドル構造体の一つの層は、上面閉塞材に折り曲げ可能に連結されたハンドルパネルによって提供されてもよい。
【００１２】
さらに、上面閉塞材に折り曲げ可能に連結されたハンドルパネルは、上記側壁の一つから得られた層の内面にぴったりと面接触した状態で固定されてもよい。
【００１３】
これに代えてまたはさらに、補強されたハンドル構造体のさらなる層が上面閉塞材によって提供され、かつハンドルパネルに対して折り曲げ可能に連結されてもよい。
【００１４】
本発明の第３の態様によれば、上面開放容器と、別体の上面閉塞材とを具備してなるタイプのカートンであって、上面開放容器の壁の少なくとも一つは、この上面開放容器内へと下方に延在するよう折り曲げられた上端フラップを有し、上面閉塞材は、この上端フラップと係合する係合タブを具備してなり、この係合タブは一つの壁と上端フラップとの間に面接触状態で配置されるようになっており、上面閉塞材は上面開放容器の上端より下方の沈んだ位置でロックされるよう構成される。
【００１５】
本発明のその上さらなる態様によれば、上面開放容器と、別体の上面閉塞材とを具備してなるタイプのカートンを形成するための二部分ブランクであって、ブランクの第１の部分は上面開放容器を形成するよう組み立てられると共に、ブランクの第２の部分はそれぞれが容器内に保持された物品の一部を受ける複数の開口部を有する上面閉塞材を形成するよう組み立てられ、各開口部は、使用時に、物品の取り出しによって破断可能な接合部が破断するよう、物品の取り出しを容易にするために、少なくとも一つの他の開口部に至る破断可能な接合部を有し、物品を取り出したとき、組み上がったカートンが構造的に損傷していない状態が実質的に維持されるよう構成される。
【００１６】
本発明のなおさらなる態様によれば、上面開放容器と、別体の上面閉塞材とを具備してなるタイプのカートンを形成するための二部分ブランクであって、第１のブランクは上面開放容器を形成するよう組み立てられると共に、第２のブランクは上面閉塞材を形成するよう組み立てられ、上面閉塞材はそれぞれが容器内に保持された物品の一部を受ける複数の開口部を有し、各開口部は、物品の取り出しを容易にする、少なくとも一つの別の開口部に至る破断可能な接合部を有し、物品の取り出しによって破断可能な接合部が破断するようになっており、物品を取り出したとき、カートンが構造的に損傷していない状態が実質的に維持されるよう構成され、組み上げられたカートンはさらに少なくとも一つの補強されたハンドル構造体を具備してなり、補強されたハンドル構造体は多層構造のものであって、少なくとも一つの層が上面開放容器によって提供され、かつ少なくとも一つのさらなる層が上面閉塞材によって提供されるよう構成される。
【００１７】
好ましくは第１のブランクは側壁を具備してなり、ここで、補強されたハンドル構造体の少なくとも一つの層は、この側壁の一方から得られる。第２のブランクは、上面閉塞材によって提供される層を、組み上がったカートンにおいて形成するための少なくとも一つのハンドルパネルを備えていてもよい。
【発明を実施するための最良の形態】
【００１８】
以下、本発明の代表的実施形態について、図面を参照して単なる実例として説明する。
【００１９】
図１Ａおよび図１Ｂには、カートン３０を形成するための二部分(two-part)ブランクの第１の部分および第２の部分をそれぞれ示すが、このブランクは板紙またはこれに類似の折り曲げ可能なシート材からなる。その代わりに、本発明の範囲から逸脱することなく、一体のブランクを採用できることは明白である。本発明の第１実施形態では、図１Ａおよび図１Ｂの二つのブランク１０および２０から、それぞれ筒状枠箱およびカバーが形成される。カバーが筒状枠箱内に嵌め込まれて、第１実施形態に係るカートン３０(図１Ｃに示す)が形成される。
【００２０】
説明する実施形態に関して、本発明に対する些細な変更をなし得ることを、たとえば本発明の範囲から逸脱することなく従来公知のタイプの緩衝底を採用できることを理解されたい。本発明は、たとえばボトルのような、同じような物品を収容するよう設計されるが、発明の範囲から逸脱することなく、それ以外の物品を収容するのに利用できることは明白である。
【００２１】
図１Ａに目を向けると、ブランク１０は、折り曲げ線４２,４４,４６および４８のそれぞれに沿って、あるものが次のものに対して一列に折り曲げ可能に連結された、第１の側壁１２と、正面パネル１４と、第２の側壁１６と、背面パネル１８とを具備している。ハンドル開口部５４が正面パネルおよび背面パネル１４,１８から打ち抜き形成されている。指用把持タブ５８がハンドル開口部５４の上縁部から内部に突出している。この指用把持タブによって、完成した(組み立てられた)カートンを、ハンドル開口部５４を用いて簡単に把持し、持ち上げることが可能となる。
【００２２】
上記ブランクはさらに、折り曲げ線６２に沿って第１および第２の側壁１２,１６のそれぞれに対して、ならびに折り曲げ線６４に沿って正面および背面パネル１４,１８のそれぞれに対して、折り曲げ可能に連結された底側端部フラップ７２および７４を具備してなる。底側端部フラップ７２,７４は、上記ブランクがカートンへと組み立てられた際に底側端部閉塞手段を提供する。本発明の範囲から逸脱することなく、これ以外の底側端部閉塞手段を採用することも可能であることは明白であろう。
【００２３】
上面端部フラップ７６も設けられており、それは、端部フラップ７２の反対側に、第１および第２の側壁１２,１６に対して折り曲げ可能に連結されている。上面端部フラップ７６は、上記ブランクがカートン３０へと組み立てられた際に、第１および第２の側壁１２,１６を補強する役割を果たすことができる。ブランク１０はまた接着フラップ８８を具備してなるが、これは折り曲げ線４８に沿って背面パネル１８に対して折り曲げ可能に連結されている。
【００２４】
ブランク１０からの筒状枠箱の組み立てについて言うと、一連の折り曲げおよび接着作業を順次行うことが必要であるが、この作業は好ましくは、枠箱および／またはブランク１０を、組み立てを成し遂げるために回転させたりあるいはひっくり返したりする必要がないように直線型装置を用いて実施できる。折り曲げ手順は以下で説明するそれに限定されるものではなく、特定の製造要件に従って変更可能である。
【００２５】
第１の段階では接着フラップ８８の外側縁部に接着剤を塗布し、続いてはそれを折り曲げ線４８を中心として１８０°折り曲げることになるが、この結果、接着フラップ８８は背面パネル１８の内面とぴったりと面接触した状態となる。続いては正面パネル１４を折り曲げ線４４を中心として折り曲げ、これによって正面パネル１４が第２の側面パネル１６の内表面上にぴったりと接した状態で載るようにする。こうして第１の側面パネル１２は、背面パネル１８および接着フラップ８８の接着剤が塗布された外側縁部とぴったりと面接触した状態となり、この結果、第１の側面パネル１２は接着フラップ８８に対して接着され、こうして第１の側面パネル１２と背面パネル１８とが接合状態となる。ブランク１０は、その後、筒状構造体へと立て起こすことができ、そして類似の一連の折り曲げおよび接着手法を用いて、底側端部フラップ７２,７４を、底側端部閉塞手段が形成されるよう固定することができる。
【００２６】
本発明のこの実施形態においては、上面端部フラップ７６に接着剤を塗布し、それを折り曲げ線６６を中心として１８０°(枠箱の内部に向けて)折り曲げ、これによって第１および第２の側面パネル１２,１６の上縁部を補強する。本発明の他の実施形態においては、上面端部フラップ７６は第２のブランク２０のパネルに対して折り曲げ可能に連結することができる。
【００２７】
第２のブランク２０を図１Ｂに示すが、これを用いて、図１Ａのブランク１０から形成される筒状枠箱用のカバーを形成することができる。ブランク２０は主パネル２２を具備するが、これは内側ハンドルパネル２４に対して折り曲げ線３２に沿って、その両側で折り曲げ可能に連結されている。ハンドル開口部５４が内側ハンドルパネル２４から打ち抜き形成されており、しかも指用把持タブ５８がハンドル開口部５４の上縁部から内側に突出している。内側ハンドルパネル２４は、外側ハンドルパネル２６に対して折り曲げ線３４に沿って折り曲げ可能に連結されているが、外側ハンドルパネル２６は、その縁部に一体的に形成された指用把持タブ５８を有する。外側ハンドルパネル２６には窪みが設けられると共に、それは、内側ハンドルパネル２４の両方から打ち抜き形成されたハンドル開口部５４ならびに正面および背面パネル１４,１８から打ち抜き形成されたハンドル開口部５４の形状と相補的となるよう形成されている。カバー端部フラップ２８が折り曲げ線３８に沿って主パネル２２に対して折り曲げ可能に連結されており、これは、組み付けられた際に、カートン３０に対して美的魅力と共に構造的な剛性を付与できる。
【００２８】
主パネル２２はさらに、類似形状の物品を受けるための開口部５６を具備してなり、しかも各開口部は破断可能な接合部すなわち切れ目(ミシン目)３７によって、少なくとも一つの他の開口部とつながっている。この第１の実施形態では開口部５６は２列に配置されており、しかも各開口部５６は、破断可能な接合部すなわち切れ目３７によって、同じ列において少なくとも一つの他の開口部５６とつながっている。本発明の他の実施形態では、開口部５６あるいは破断可能な接合部すなわち切れ目３７の様態は、本発明の第１実施形態として説明したものと異なっていてもよい。本発明の範囲から逸脱することなく、さまざまな態様を採用できることは明白であろう。
【００２９】
上記筒状枠箱に六つのボトルを３×２の配列状態で装填したならば、ブランク２０を折り曲げてカバーを形成する。内側ハンドルパネル２４およびカバーフラップ２８は、折り曲げ線３２および３８を中心として９０°だけ主パネル２２の面から上方に折り曲げる。このようにして、上記筒状枠箱内にぴったりと嵌まることができる相補的挿入物を得る。その後、内側ハンドルパネル２４、カバー端部フラップ２８および外側ハンドルパネル２６の外面に接着剤を塗布する。続いては折り曲げたブランク２０を、主パネル２２の開口部５６がボトルのネックと揃うように装填済のカートン内に嵌め込む。続いては、図１Ｃに示すように、内側ハンドルパネル２４およびカバーフラップ２８を、接着剤を用いて、正面および背面パネル１４,１８の内面に対して、ならびに第１および第２の側壁１２,１６の内面に対して固定することになる。続いては、外側ハンドルパネル２６を折り曲げ線３４を中心として折り曲げ、そして筒状枠箱の正面および背面パネル１４,１８の外面に対して接着する。このようにして筒状カートンの、特にハンドル構造部(これは本発明のこの実施形態では３層ハンドル構造部を形成するよう補強されている)の構造的完全性(構造的に損傷していない状態)が改善される。
【００３０】
ブランク１０および２０から形成されたカートンを図１Ｃに示す。ブランク２０から形成されたカバーが筒状枠箱内に固定されると、ボトルがカートン内で固定されることが分かるであろう。ボトルは破断可能な接合部すなわち切れ目３７を分離させることによって手に取ることができるが、これはカートン３０内に収容されたボトルを引っ張ることで簡単に実現可能である。このようにして個々のボトルを別個に手に取ることができ、しかもカートン３０の構造的完全性は維持されたままである。取り出されていないボトルは上記カバーの開口部５６によって適所で保持される。それゆえ本カートンは融通の利く携行容器を提供し、その構造的完全性はボトルを取り出すときにも損なわれない。これによって本カートンは、空になったボトルの都合のよい返却のために再利用可能となる。本発明のこの実施形態では、全てのボトルを取り出したとき、ブランク２０から形成されたカバーの構成材がカートン３０から実際に除去されない。
【００３１】
本発明の範囲内で、さまざまな変更を施し得ることが明白であろう。たとえば、上記パネルおよび開口部のサイズや形状を、異なるサイズまたは形状の物品を収容するために調整可能である。図２Ａ〜図９Ｄには、本発明のさらなる実施形態およびなし得る変更(これは本発明の範囲内のものである)のいくつかを示すが、以下、これら実施形態について実例としてのみ説明する。以下の図では、類似の参照数字は同じ特徴部を指し示すのに用いており、本発明の第２実施形態の参照数字は、それがこの第２実施形態の特徴部を表すことを明示するために、「２００」が付加されている。その他の実施形態も、本明細書で先に説明した第１実施形態と共通の特徴部を有するので、以降の実施形態の差異についてのみ重点的に説明する。
【００３２】
図２Ａ、図２Ｂおよび図２Ｃに示すのは本発明の第２実施形態であり、このものでは第１実施形態と同様、ブランク２１０から形成された筒状枠箱には、ブランク２２０から形成されたカバーが嵌め込まれている。本発明の第２実施形態では、第１実施形態の構成に代えて、ハンドル開口部２５４が第１および第２の側壁１２,１６から打ち抜き形成され、しかも上面端部フラップ７６が正面および背面パネル１４,１８に対して折り曲げ可能に連結されている。
【００３３】
この第２実施形態は、第１実施形態とは、カバーが、カートン内で３×４の配列状態で１２個のボトルの規則正しい列を固定するための１２個の開口部２５６を有する点で相違する。ボトルの取り出しは、破断可能な接合部すなわち切れ目２３７を破断することによってなされるが、この切れ目２３７はやはり、ある列の各開口部２５６と、同じ列の少なくとも一つの別の開口部２５６とをつないでいる。さらなる破断可能な接合部すなわち切れ目２３７が、開口部２５６のいくつかのものと主パネル２２２の縁部とから設けられている。このようにして、カートン２３０の正面および背面パネル１４,１８に隣接するボトルを手に取るのが一層容易になる。カートン２３０が構造的に損傷していない状態は、ボトルを手に取った後でも維持され、しかもブランク２２０から形成されたカバーは実質的に無傷なままである。カートン２３０はボトルのリサイクルに使用できる。
【００３４】
本発明の第３実施形態を図３Ａ、図３Ｂ、図３Ｃおよび図３Ｄに示す。ブランク３１０および３２０から形成されたカートン３３０は、先の実施形態のごとく矩形状のものではない。ブランク３１０は、折り曲げ線３４２ａ／３４２ｂ,３４４ａ／３４４ｂ,３４６ａ／３４６ｂおよび３４８ａ,３４８ｂに沿って、第１および第２の側壁３２１,３１６のそれぞれに対して、ならびに正面および背面パネル３１４,３１８のそれぞれに対して、折り曲げ可能に連結された付加的なコーナーパネル３９０を具備してなる。ブランク３１０から形成された筒状カートンは、当該カートン３３０内に収容されたボトルを、より安全に保護するために八角形となっている。付加的コーナーパネル３９０は、ボトル列のコーナーに位置させられたボトルを保護する。ブランク３２０から組み立てられた筒状カートン用カバーは、主パネル３２２に対して折り曲げ可能に取り付けられたタブ３９２を具備するが、この主パネル３２２は、この相補的な形状のカバーがブランク３１０から形成された筒状枠箱内にぴったりと確実に嵌まるよう特別な形状となっている。タブ３９２は、内側ハンドルパネル３２４およびカバー端部フラップ３２８と同じように折り曲げられる。
【００３５】
本発明の第４実施形態を図４Ａおよび図４Ｂに示す。この実施形態では、正面パネル４１４と、背面パネル４１８と、端部フラップ４７４の一つとは、付加的な折り曲げ線４８０,４８２および４８４を備えるが、これらは、ブランク４１０から形成された、組み立てられた枠箱を平らに潰れた状態へと折り込むのに使用できる。これによって、枠箱を形成するためにブランクに予め接着剤を塗布しておくことが可能となり、さらに、枠箱に物品を装填する前の保管および運搬を容易にするために平らに潰れた状態へと折り込むことができる構造体が提供される。
【００３６】
ブランク４１０からの枠箱の組み立ては、本明細書で先に説明したそれと同じである。接着フラップ４８８は、筒状枠箱を形成するため、第１の側面パネル４１２を背面パネル４１８に対して固定するのに使用される。複合底面壁は、二つの端部フラップ４７２を互いに固定することによって形成される。これは、接着剤または従来公知のその他の手段を用いて実施可能である。折り曲げ線４８０,４８２,４８４は、ブランク４１０から形成された筒状枠箱を平らに折り込むことができるように並んでいる。
【００３７】
本発明の第５実施形態を図５Ａ、図５Ｂ、図５Ｃおよび図５Ｄに示す。カバーを形成するためのブランク５２０は先の実施形態のそれと同様のものであるが、ボトルまたはその他の同種の物品の異なる配列を容易にするよう設計されている。この実施形態では、ブランク５１０から形成された筒状枠箱内に装填された物品は、それぞれ四つ、三つ、そして四つの物品からなる三つの列に配置されている。三つの列のうちの中央列の開口部５５６は、隣接する列の開口部５５６からオフセットしている。物品すなわちボトルのこの配列は、正面および背面パネル５１４,５１８に隣接する、カートンの対向する端部に凹所をもたらす。この凹所は、ハンドル開口部５４４(これは正面および背面パネル５１４,５１８から打ち抜き形成されている)が枠箱を持ち上げるのに使用されているとき、消費者の手が位置する空間を枠箱内にもたらす。
【００３８】
本実施形態に関してボトルを手に取るために、主パネル５２２は、図５Ｃに示すように、中央列の開口部５５６のそれぞれを、他の二つの列のそれぞれの少なくとも二つの開口部５５６とつないでいる破断可能な接合部すなわち切れ目５３７を具備する。付加的な破断可能な接合部すなわち切れ目５３７がさらに、第１および第２の側壁５１２,５１６に最も近接した開口部５５６と、カートン５３０の第１および第２の側壁５１２,５１６との間に設けられている。第１実施形態と同様、ボトルの取り出しは、図５Ｄに示すように、ボトルの周りで切れ目５３７を破断することによってなされる。このようにして各ボトルを別個に手に取ることができ、その一方でカートンの構造的に損傷していない状態は維持される。
【００３９】
その上さらなる実施形態を図６Ａ、図６Ｂおよび図６Ｃに示す。第６実施形態のブランク６１０および６２０から形成されたカートンを図６Ｃに示す。この実施形態では１２個のボトルが６個ずつ、二つの列に配置される。破断可能な接合部すなわち切れ目６３７は、主パネル６２２に設けられた切れ目６３７のいくつかが交差するよう、一つの列の開口部６５６と、隣接する列の少なくとも一つの開口部６５６とをつないでいる。切れ目６３７の破断は、この切れ目６３７が交差するポイントに力を加えることで本実施形態では容易に実現可能である。この実施形態では切れ目６３７はまた、正面および背面パネル６１４,６１８に隣接する開口部と、この正面および背面パネル６１４,６１８自身との間で延在している。
【００４０】
第７実施形態を図７Ａ、図７Ｂおよび図７Ｃに示す。筒状枠箱を形成するためのブランク７１０を図７Ａに示す。第１および第２の側壁７１２,７１４はまたハンドル開口部７５４を備え、これによって図７Ｃに示す組み立てられたカートンは四つの補強されたハンドル構造体を有するが、これはカートン７３０の有用性を向上させる。
【００４１】
本発明の第７実施形態について、カバーを形成するためのブランク７２０は、第１実施形態のように二つの側部にだけでなく、主パネル７２２の各側部に、内側ハンドルパネル７２４および外側ハンドルパネル７２６を備える。このカバーは、第１実施形態と同様にしてブランク７１０からなる枠箱に固定される。すなわち内側ハンドルパネル７２４のそれぞれは、主パネル７２２の面から上方に折り曲げられ、これによって相補的な挿入物を形成する。これは、物品が装填された筒状枠箱内にぴったりと嵌まり込む。続いては、接着剤あるいは従来公知の他の固定手段を、内側ハンドルパネル７２４および外側ハンドルパネル７２６の外面に対して施す。続いては折り曲げられたブランク７２０を、物品が装填されたカートン内に嵌め込み、これによって主パネル７２２の開口部７５４をボトルのネックとそろえる。その後、内側ハンドルパネル７２４を、正面および背面パネル７１４,７１８ならびに第１および第２の側壁７１２,７１６のそれぞれの内面に図７Ｃに示すように固定する。その後、外側ハンドルパネル７２６を折り曲げて、筒状枠箱の正面および背面パネル７１４,７１８ならびに第１および第２の側壁７１２,７１６のそれぞれの外面に対して接着することが可能となる。
【００４２】
本発明の第８実施形態を図８Ａ〜図８Ｆに示す。本発明のこの実施形態では、カートン８３０は三つずつ４列で１２個のボトルを収容するよう設計されているが、ここでは最端列は、隆起したカバーフラップ８２８ｂの下方で見えないようになっている。主パネル８２２は、残存する６個のボトルをディスプレイするために、三つずつ２列で六つの開口部８５６を備える。破断可能な接合部あるいは切れ目８３７が、開口部８５６のそれぞれと、少なくとも一つのそれ以外の開口部８５６とをつないでいる。
【００４３】
本発明の他の実施形態と同様、ハンドルパネル８５４が第１および第２の側壁１２,１６から打ち抜き形成され、しかも正面および背面パネル対して折り曲げ可能に連結された上面端部フラップ８７６が設けられている。だが、この実施形態では、上面端部フラップ８７６は正面および背面パネルとぴったり面接触した状態では固定されず、ブランク８１０,８２０がカートン８３０へと組み立てられた際にブランク８２０のカバーに固定される。ブランク８２０は、主パネル８２２の両側にカバー端部フラップ８２８ａおよび８２８ｂを備える。カートンを組み立てるためには、内側および外側ハンドルパネル８２４,８２６ならびにカバー端部フラップ８２８ａおよび８２８ｂを、図８Ｃに示すように、主パネル８２２の面から上方に折り曲げる。図８Ｄの筒状枠箱も折り曲げおよび接着段階からなる同様の処置によって組み立てることになるが、上面端部フラップ８７６は正面および背面パネル１４,１８に固定しない。図８Ｃのカバーは図８Ｄの物品が装填されたカートンと揃え、内側および外側ハンドルパネル８２４,８２６を他の実施形態に関して説明したようにカートンに対して固定する。カバー端部フラップ８２８ａおよび８２８ｂは図８Ｅに示すように折り曲げ、カバー端部フラップ８２８ｂが上面端部フラップ８７６に対して接着剤またはその他公知の手段を用いて固定された状態とする。このようにして二つの矩形カバーが提供されるが、これは図８Ｆに示すようにカートン８３０内に収容された最端ボトルを見えないようにする。カバー端部フラップ８２８ｂはまた、この第８実施形態のカートン８３０を、他のカートンの上面に一層容易に積み重ねることを可能にする領域を提供する。
【００４４】
第９実施形態を図９Ａ、図９Ｂおよび図９Ｃに示す。この第９実施形態においては、内側ハンドルパネル９９６によってハンドル構造体が補強されているが、この内側ハンドルパネル９９６は、第１実施形態のごとくカバーを形成するためにブランク９２０に対して取り付けられるのではなく、筒状枠箱を形成するためにブランク９１０に対して取り付けられている。本実施形態では、内側ハンドルパネル９９６は、第１および第２の側壁パネル９１２,９１６に対して折り曲げ可能に取り付けられており、しかも隣接する上面端部フラップ９７６に対して折り曲げ可能に連結されている。筒状枠箱は、先に説明したものと同様の一連の折り曲げおよび接着段階を経て組み立てられる。だが、この実施形態では、上面端部フラップ９７６は、接着剤を必要とせずに、筒状カートン内で、ブランク９２０から形成されたカバーを固定するのに使用できる。
【００４５】
ブランク９２０は、主パネル９２２と、折り曲げ線９３８ａおよび９３８ｂに沿って、この主パネルに対して折り曲げ可能に取り付けられたカバーフラップ９２８ａおよび９２８ｂとを具備してなる。ブランク９２０から形成されたカバーを筒状枠箱内に嵌め込む際に、カバーフラップ９２８ｂがハンドル開口部９５４を覆い隠さないことが確実なものとなるよう、カバーフラップ９２８ｂを主パネル９２２の面から下方に折り曲げ、そしてカートン９３０が完全に組み立てられた際には、それが見えないように覆い隠す。カバーフラップ９２８ａは主パネル９２２の面から上方または下方のいずれにでも折り曲げることができ、しかもカバーフラップ９２８ａは接着剤を用いて筒状枠箱に対して固定してもよく、あるいは固定しなくてもよい。カバーフラップ９２８ａを主パネル９２２の面から上方に折り曲げる場合、ブランク９２０から形成されたカバーは、折り曲げ線９６６および９６８を中心として上面端部フラップ９７６および隣接する内側ハンドルパネル９９６を折り曲げることによって筒状カートン内でロック可能である。この処置によって、カバーフラップ９２８ａが、上面端部フラップ９７６と、正面および背面パネル９１４,９１８の隣接上側部分との間でぴったりと面接触した状態となるよう、上記カバーを筒状枠箱内でロックすることができる。
【００４６】
本明細書で説明したさまざまな実施形態の特徴部は、本発明の範囲から逸脱することなく組み合わせることが可能であることは明白である。たとえば、第５実施形態のブランク５２０から形成されたカバーを、第４実施形態のブランク４１０から形成された筒状枠箱にぴったりと合うようなサイズとすることができる。
【００４７】
本発明の他の実施形態では、上面パネルに形成された開口部は円形でなくてもよく、しかもカートン内に収容されたボトルのネックあるいはその他の物品の保持を助けるために、開口部内に突出する付加的タブを設けてもよい。
【００４８】
本明細書で使用しているように、方向的な用語、たとえば「上面」、「底」、「正面」、「背面」、「端部」、「側部」、「内側」、「外側」、「上側」および「下側」は、個々のパネルをそうした向きに限定するものではなく、これらのパネルを互いに区別する役割を果たしているに過ぎないことを理解されたい。折り曲げ可能な連結部についての言及を、単一の折り曲げ線のみを意味するものと解釈すべきではない。実際のところ折り曲げ可能な接続部は、本発明の範囲から逸脱することなく、刻線、破断可能な線あるいは折り曲げ線の一つ以上から形成できることは明白である。
【図面の簡単な説明】
【００４９】
【図１Ａ】本発明の第１実施形態によるカートンを形成するためのブランクの第１の部分を示す図である。
【図１Ｂ】本発明の第１実施形態によるカートンを形成するためのブランクの第２の部分を示す図である。
【図１Ｃ】図１Ａおよび図１Ｂのブランクから組み立てられたカートンの正面、側面および上面側から見た斜視図である。
【図２Ａ】本発明の第２実施形態によるカートンを形成するためのブランクの第１の部分を示す図である。
【図２Ｂ】本発明の第２実施形態によるカートンを形成するためのブランクの第２の部分を示す図である。
【図２Ｃ】図２Ａおよび図２Ｂのブランクから組み立てられたカートンの正面および側面側から見た斜視図である。
【図３Ａ】本発明の第３実施形態によるカートンを形成するためのブランクの第１の部分を示す図である。
【図３Ｂ】本発明の第３実施形態によるカートンを形成するためのブランクの第２の部分を示す図である。
【図３Ｃ】図３Ａおよび図３Ｂのブランクから組み立てられたカートンの正面および側面側から見た斜視図である。
【図３Ｄ】図３Ｃのカートンの上面図であり、カートンからのボトルの取り出しを示している。
【図４Ａ】本発明の第４実施形態によるカートンを形成するためのブランクの第１の部分を示す図である。
【図４Ｂ】本発明の第４実施形態によるカートンを形成するためのブランクの第２の部分を示す図である。
【図５Ａ】本発明の第５実施形態によるカートンを形成するためのブランクの第１の部分を示す図である。
【図５Ｂ】本発明の第５実施形態によるカートンを形成するためのブランクの第２の部分を示す図である。
【図５Ｃ】図５Ａおよび図５Ｂのブランクから組み立てられたカートンの正面および側面側から見た斜視図である。
【図５Ｄ】図５Ｃのカートンの上面図であり、カートンからのボトルの取り出しを示している。
【図６Ａ】本発明の第６実施形態によるカートンを形成するためのブランクの第１の部分を示す図である。
【図６Ｂ】本発明の第６実施形態によるカートンを形成するためのブランクの第２の部分を示す図である。
【図６Ｃ】図６Ａおよび図６Ｂのブランクから組み立てられたカートンの上面図である。
【図７Ａ】本発明の第７実施形態によるカートンを形成するためのブランクの第１の部分を示す図である。
【図７Ｂ】本発明の第７実施形態によるカートンを形成するためのブランクの第２の部分を示す図である。
【図７Ｃ】図７Ａおよび図７Ｂのブランクから組み立てられたカートンの正面および側面側から見た斜視図である。
【図８Ａ】本発明の第８実施形態によるカートンを形成するためのブランクの第１の部分を示す図である。
【図８Ｂ】本発明の第８実施形態によるカートンを形成するためのブランクの第２の部分を示す図である。
【図８Ｃ】図８Ｂに示すブランクの折り込みプロセスにおける第１のステップを示す図である。
【図８Ｄ】図８Ａに示すブランクの折り込みプロセスにおける第１のステップを示す図である。
【図８Ｅ】図８Ａおよび図８Ｂのブランクから形成されるカートンの組み立て中の一ステップを示す図である。
【図８Ｆ】図８Ａおよび図８Ｂのブランクから組み立てられたカートンの正面および上面側から見た斜視図である。
【図９Ａ】本発明の第９実施形態によるカートンを形成するためのブランクの第１の部分を示す図である。
【図９Ｂ】本発明の第９実施形態によるカートンを形成するためのブランクの第２の部分を示す図である。
【図９Ｃ】図９Ａおよび図９Ｂのブランクから形成されるカートンの組み立て中の一ステップを示す図である。
【図９Ｄ】図９Ａおよび図９Ｂのブランクから組み立てられたカートンの正面、側面および上面側から見た斜視図である。
【符号の説明】
【００５０】
１０,２０  ブランク
１２  第１の側壁
１４  正面パネル
１６  第２の側壁
１８  背面パネル
２２  主パネル
２４  内側ハンドルパネル
２６  外側ハンドルパネル
２８  カバー端部フラップ
３０  カートン
３２,３４  折り曲げ線
３７  破断可能な接合部(切れ目)
３８  折り曲げ線
４２〜４８  折り曲げ線
５４  ハンドル開口部
５６  開口部
５８  指用把持タブ
６２,６４  折り曲げ線
７２,７４  底側端部フラップ
７６  上面端部フラップ
８８  接着フラップ
２１０,２２０  ブランク
２２２  主パネル
２３０  カートン
２３７  破断可能な接合部(切れ目)
２５４  ハンドル開口部
２５６  開口部
３１０,３２０  ブランク
３１４  正面パネル
３１６  第２の側壁
３１８  背面パネル
３２１  第１の側壁
３２２  主パネル
３２４  内側ハンドルパネル
３２８  カバー端部フラップ
３３０  カートン
３４２ａ〜３４８ａ,３４２ｂ〜３４８ｂ  折り曲げ線
３９０  付加的コーナーパネル
３９２  タブ
４１０  ブランク
４１２  第１の側面パネル
４１４  正面パネル
４１８  背面パネル
４７２,４７４  端部フラップ
４８０,４８２,４８４  折り曲げ線
４８８  接着フラップ
５１０,５２０  ブランク
５１２  第１の側壁
５１４  正面パネル
５１６  第２の側壁
５１８  背面パネル
５２２  主パネル
５３７  破断可能な接合部(切れ目)
５４４  ハンドル開口部
５５６  開口部
６１０,６２０  ブランク
６１４  正面パネル
６１８  背面パネル
６２２  主パネル
６３７  破断可能な接合部(切れ目)
６５６  開口部
７１０  ブランク
７１２  第１の側壁
７１４  正面パネル
７１６  第２の側壁
７１８  背面パネル
７２０  ブランク
７２２  主パネル
７２４  内側ハンドルパネル
７２６  外側ハンドルパネル
７３０  カートン
７５４  開口部
８１０,８２０  ブランク
８２２  主パネル
８２４  内側ハンドルパネル
８２６  外側ハンドルパネル
８２８ａ,８２８ｂ  カバー端部フラップ
８３０  カートン
８３７  破断可能な接合部(切れ目)
８５４  ハンドルパネル
８５６  開口部
８７６  上面端部フラップ
９１０,９２０  ブランク
９１２  第１の側壁パネル
９１４  正面パネル
９１６  第２の側壁パネル
９１８  背面パネル
９２２  主パネル
９２８ａ,９２８ｂ  カバーフラップ
９３０  カートン
９３８ａ,９３８ｂ  折り曲げ線
９５４  ハンドル開口部
９６６,９６８  折り曲げ線
９７６  上面端部フラップ
９９６  内側ハンドルパネル
【図１Ａ】
2007532422.tif 000003
【図１Ｂ】
2007532422.tif 000004
【図１Ｃ】
2007532422.tif 000005
【図２Ａ】
2007532422.tif 000006
【図２Ｂ】
2007532422.tif 000007
【図２Ｃ】
2007532422.tif 000008
【図３Ａ】
2007532422.tif 000009
【図３Ｂ】
2007532422.tif 000010
【図３Ｃ】
2007532422.tif 000011
【図３Ｄ】
2007532422.tif 000012
【図４Ａ】
2007532422.tif 000013
【図４Ｂ】
2007532422.tif 000014
【図５Ａ】
2007532422.tif 000015
【図５Ｂ】
2007532422.tif 000016
【図５Ｃ】
2007532422.tif 000017
【図５Ｄ】
2007532422.tif 000018
【図６Ａ】
2007532422.tif 000019
【図６Ｂ】
2007532422.tif 000020
【図６Ｃ】
2007532422.tif 000021
【図７Ａ】
2007532422.tif 000022
【図７Ｂ】
2007532422.tif 000023
【図７Ｃ】
2007532422.tif 000024
【図８Ａ】
2007532422.tif 000025
【図８Ｂ】
2007532422.tif 000026
【図８Ｃ】
2007532422.tif 000027
【図８Ｄ】
2007532422.tif 000028
【図８Ｅ】
2007532422.tif 000029
【図８Ｆ】
2007532422.tif 000030
【図９Ａ】
2007532422.tif 000031
【図９Ｂ】
2007532422.tif 000032
【図９Ｃ】
2007532422.tif 000033
【図９Ｄ】
2007532422.tif 000034
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
上面開放容器と、別個の上面閉塞材とを具備してなるタイプの二部分カートンであって、
前記上面開放容器は対向する側壁および対向する端壁を具備してなり、前記側壁または端壁の少なくとも一つは、前記容器内へと下方に延在するよう折り曲げられた上端フラップを具備してなり、前記上面閉塞材は上面パネルおよび係合タブを含み、前記上面開放容器の前記上端フラップは、前記上面閉塞材が前記上面開放容器の最上縁部より下方の沈んだ位置でロックされるよう前記上面閉塞材の前記係合タブと係合するようになっていることを特徴とする二部分カートン。
【請求項２】
前記係合タブは前記上面パネルから上方に延在し、かつ前記上端フラップと前記側壁または前記端壁との間に係合するようになっていることを特徴とする請求項１に記載のカートン。
【請求項３】
上面開放容器と、別個の上面閉塞材とを具備してなるタイプのカートンにおいて、
前記上面閉塞材は、それぞれが前記容器内に保持された物品の一部を受ける複数の開口部を備えた物品保持構造体を具備してなり、
各開口部は、前記物品の取り出しを容易にする、少なくとも一つの別の開口部に至る破断可能な接合部を有し、これによって使用時には、物品の取り出しによって前記破断可能な接合部が破断するようになっており、
前記破断可能な接合部は、この破断可能な接合部が破断したとき、カートンが構造的に損傷していない状態が実質的に維持されるように配されていることを特徴とするカートン。
【請求項４】
請求項１に記載の上面閉塞材であって、複数の開口部が列をなして配置されており、ある列の各開口部は、同一およびまたは異なる列の少なくとも一つの別の開口部に至る破断可能な接合部を有していることを特徴とする上面閉塞材。
【請求項５】
ある列の端部における各開口部は、さらなる破断可能な接合部によって、上面閉塞材の縁部につながっていることを特徴とする請求項２に記載の上面閉塞材。
【請求項６】
二つの開口部間の破断可能な接合部は、二つの他の開口部間の破断可能な接合部と交差していることを特徴とする請求項１に記載の上面閉塞材。
【請求項７】
前記破断可能な接合部は、この破断可能な接合部を破断するとき、上面閉塞材からその構成材が除去されないような形態であることを特徴とする請求項１ないし請求項６のいずれか１項に記載の上面閉塞材。
【請求項８】
上面開放容器を具備してなるタイプのカートンを形成するための二部分ブランクであって、ブランクの第２の部分は、それぞれが前記容器内に保持された物品の一部を受ける複数の開口部を有する上面閉塞材を形成するよう組み立てられ、各開口部は、前記物品の取り出しを容易にする、少なくとも一つの別の開口部に至る破断可能な接合部を有し、これによって前記物品の取り出しにより前記破断可能な接合部が破断するようになっており、前記破断可能な接合部は、この破断可能な接合部が破断したとき、組み上がったカートンが構造的に損傷していない状態が実質的に維持されるように配されていることを特徴とする二部分ブランク。
【請求項９】
上面開放容器を具備してなるタイプのカートンを形成するための二部分ブランクであって、ブランクの第２の部分は上面閉塞材を形成するよう組み立てられ、前記上面開放容器は対向する側壁および対向する端壁を具備してなり、前記側壁または端壁の少なくとも一つは、前記容器内へと下方に延在するよう折り曲げられた上端フラップを具備してなり、前記上面閉塞材は上面パネルおよび係合タブを含み、前記上端フラップは、前記上面閉塞材が前記上面開放容器の上端より下方の沈んだ位置でロックされるよう前記係合タブと係合するようになっていることを特徴とする二部分ブランク。
【国際調査報告】
2007532422.tif 000035
2007532422.tif 000036